(57)【特許請求の範囲】
【請求項１】
本体筐体に形成された表示窓部分を中心に移動可能に配設されたスクリーンと、
該スクリーン上に画像形成物質により画像を描画する画像描画手段と、
螺旋形状の刃を有するローラ状の刃物部材を有し、前記画像の消去時に、前記刃物部材を前記スクリーンに接触させるとともに、前記スクリーンとの接触位置で前記スクリーンの移動速度とは異なる速度で前記刃物部材を回動駆動させて、前記スクリーン上に描かれた前記画像の前記画像形成物質を除去する画像消去手段と、
前記スクリーンの表面を覆う状態で前記スクリーン上に前記画像描画手段により描画された画像を視認可能であるとともに手書きで画像を描画可能な透明部材により形成された透明黒板と、
を備えることを特徴とする電子黒板装置。
【請求項２】
本体筐体に形成された表示窓部分を中心に移動可能に配設されたスクリーンと、
該スクリーン上に画像形成物質により画像を描画する画像描画手段と、
前記スクリーンの表面を覆う状態で前記スクリーン上に前記画像描画手段により描画された画像を視認可能であるとともに手書きで画像を描画可能な透明部材により形成されたベルト状の透明黒板と、
前記スクリーンと前記透明黒板とが重なり合った部分の前記透明黒板側に配置され、画像取り込み時に、等速度で移動する前記スクリーンと前記透明黒板から該スクリーン上及び透明黒板上に描かれた画像を取り込む画像取込手段と、
を備えることを特徴とする電子黒板装置。
【発明の詳細な説明】
【０００１】
【発明の属する技術分野】
本発明は、電子黒板装置に関し、詳細には、スクリーンへの付着力の強い画像描画をも適切に消去する電子黒板装置に関する。
【０００２】
【従来の技術】
会議等においては、パーソナルコンピュータ等の情報処理装置やスキャナ等からの入力データに基づいて画像をスクリーン上に描画する画像描画機構を有するとともに、スクリーン上に画像描画機構や手書きで描かれた画像を消去する消去機構を備えた電子黒板装置が利用されるようになってきており、画像描画機構としては、電子黒板印字用ペンと同様のフェルトペンインクによる描画（実開平５−３９０６５号公報、特開平９−９９６９７号公報参照）、静電記録方式による描画（実開平５−７００７０号公報、特開平５−３２０９３号公報参照）、インクジェット記録方式による描画（特開平８−１５６４９０号公報、特開平８−１５６４９１号公報参照）等の各種描画方法のものが従来から提案されている。
【０００３】
このような電子黒板装置においては、パーソナルコンピュータ等により作成された文書、表及びグラフ等をインターフェイスを介して電子黒板装置に入力して、電子黒板装置の画像描画機構によりスクリーン上に描画させており、例えば、予め表やグラフのフォーマットを画像描画機構により作成して、会議で出された文字や数字等をパーソナルコンピュータ等を介して入力すると、当該入力された文字や数字をフォーマットされた表やグラフに組み込んでスクリーン上に描画する。
【０００４】
そして、このような電子黒板装置を利用した会議においては、必要に応じて、スクリーン上に描かれた画像の全部あるいは一部を消去するが、このスクリーン上に描かれた画像の消去方法としては、従来の電子黒板装置は、通常の黒板消しによる消去機構（実開平５−３９０６５号公報、実開平５−７００７０号公報、特開平５−２４１４７９号公報参照）、フェルト等を用いた消去機構（５−３２０９３号公報参照）及び布やスポンジ等を用いた消去機構（特開平８−１５６４９０号公報参照）が一般的であり、ローラ型の消去機構も提案されている（特開平８−１５６４９１号公報参照）。
【０００５】
また、従来、ブレードのエッジをスクリーンに当接して、スクリーン上の画像を消去する消去機構を備えた電子黒板装置が提案されている（特開平５−５９７号公報参照）。この電子黒板装置は、画像消去時にのみブレードをスクリーンに押し当てて画像の消去を行っている。
【０００６】
【発明が解決しようとする課題】
しかしながら、このような従来の電子黒板装置にあっては、電子黒板装置の利用性を向上させる上で、なお、改良の必要があった。
【０００７】
すなわち、従来の電子黒板装置にあっては、スクリーン上に描かれた画像を消去する消去機構として、通常の黒板消しによる消去機構（実開平５−３９０６５号公報、実開平５−７００７０号公報、特開平５−２４１４７９号公報参照）、フェルト等を用いた消去機構（５−３２０９３号公報参照）及び布やスポンジ等を用いた消去機構（特開平８−１５６４９０号公報参照）が一般的であり、これらの画像方法では、画像の消去性が悪く、また、ブレードを用いた消去機構（特開平５９７号公報参照）も、単にブレードをスクリーン表面に押し当てるのみであるため、画像の消去性が悪いため、従来の電子黒板装置にあっては、画像描画機構によるスクリーン上への画像形成において、その画像形成物質のスクリーンへの付着力（定着性）を弱めて描くようにしている。
【０００８】
ところが、画像のスクリーンへの付着力が弱いと、描画中あるいは描画後に、画像の一部が欠落して画像品質が悪化したり、画像形成物質が衣服等に付着して衣服等を汚し、電子黒板装置の利用性を向上させる上で改良の必要があった。このような問題を解決するために、画像描画機構による画像の付着力を高めると、従来の消去機構では、充分に描かれた画像を消去することができないという問題がある。
【０００９】
また、電子黒板装置を利用した会議等においては、画像描画機構により作成した画像を残して、使用者により手書きで描かれた画像のみを黒板消し等で消去することが行われるが、このような場合、従来の電子黒板装置は、画像描画機構により描かれた画像と同じスクリーン上に使用者が手書きで画像を描くようになっていたため、手書きで描かれた画像を黒板消し等で消す際に、画像描画機構により描かれた画像も消され、電子黒板装置の利用性が悪いという問題があった。
【００１０】
なお、本出願人は、先に、板面状に沿ってスライド移動可能な透明シートに記入された文字あるいは図形を読み取り可能なスキャナ部と、スキャナ部が読み取ったイメージを印刷するプリンタ部と、入力指示あるいはコピー指示を受けて処理する操作部と、予め作成された表示用画像を透明シートの後方から表示可能な表示部と、各部の作動を制御する制御部と、を備え、制御部で表示用画像と透明シートに記入された文字あるいは図形を合成して合成画像としてプリンタ部で印刷する電子黒板機器を提案している（特開平９−１６３０５３号公報参照）。
【００１１】
ところが、この電子黒板機器は、表示部として、ＣＲＴ（陰極線管：Cathode Ray Tube）あるいは液晶ディスプレイ等の電子ディスプレイを採用しており、電子黒板として機能させるためには、大型の表示部が必要であり、大型の電子ディスプレイを採用すると、価格が高くなり、改良の必要があった。
【００１２】
そこで、請求項１記載の発明は、本体筐体に形成された表示窓部分を中心に所定方向に所定量移動可能に配設され画像描画手段により画像の描かれるスクリーンの表面を、当該表示窓部分で覆う状態で、当該スクリーン上に描かれた画像を視認可能であるとともに所定の手書き描画手段により手書きで画像を描画可能な透明部材で形成された透明黒板を配設することにより、スクリーン上に画像描画手段により描かれた画像に応じて手書き描画手段により透明黒板上に画像を描く際に、両方の画像形成物質が混じり合ったり、画像描画手段により描かれた画像が変形されたり、消されたり、さらには、手書き描画手段に画像描画手段の画像形成物質が付着したり、手書き描画手段の画像形成物質が画像描画手段を汚染したりすることを防止するとともに、画像描画手段により描かれた画像と手書き描画手段により描かれた画像を個別に消去して、一方の画像を消去する際に他方の画像が不用意に消去されることを防止し、画像品質を向上させるとともに、利用性を向上させることのできる電子黒板装置を提供することを目的としている。
【００１３】
さらに、請求項１記載の発明は、スクリーン上の画像を消去する画像消去手段を、螺旋形状の刃を有するローラ状の刃物部材を有し、画像の消去時に、当該刃物部材をスクリーンに接触させるとともに、当該スクリーンとの接触位置で当該スクリーンの移動速度とは異なる速度で当該刃物部材を回動駆動させて、スクリーン上に描かれた画像の画像形成物質を除去することにより、スクリーンとの定着性を極端に低下させることなく、スクリーンとの画像形成物質の付着力の大きい静電記録方式やソリッドインクジェット方式等の画像描画手段でスクリーン上に描かれた画像の画像形成物質を適切かつ確実に除去し、画像品質の良好な画像を得ることのできる電子黒板装置を提供することを目的としている。
【００１９】
請求項２記載の発明は、スクリーンとベルト状の透明黒板とが重なり合った部分の透明黒板側に画像取込手段を配置し、少なくとも画像取り込み時に、スクリーンとベルト状の透明黒板が画像取込手段方向に等速度で移動して当該スクリーン上及び当該ベルト状の透明黒板上に描かれた画像を画像取込手段で取り込むことにより、画像取込手段を移動させる機構を設けることなく、スクリーン上に描かれた画像と透明黒板上に描かれた画像とを合成した画像を適切に取り込んで、電子ファイル化してパーソナルコンピュータ等に出力したり、記録紙に記録出力し、利用性をより一層向上させることのできる安価な電子黒板装置を提供することを目的としている。
【００２０】
【課題を解決するための手段】
請求項１記載の発明の電子黒板装置は、本体筐体に形成された表示窓部分を中心に移動可能に配設されたスクリーンと、該スクリーン上に画像形成物質により画像を描画する画像描画手段と、螺旋形状の刃を有するローラ状の刃物部材を有し、前記画像の消去時に、前記刃物部材を前記スクリーンに接触させるとともに、前記スクリーンとの接触位置で前記スクリーンの移動速度とは異なる速度で前記刃物部材を回動駆動させて、前記スクリーン上に描かれた前記画像の前記画像形成物質を除去する画像消去手段と、前記スクリーンの表面を覆う状態で前記スクリーン上に前記画像描画手段により描画された画像を視認可能であるとともに手書きで画像を描画可能な透明部材により形成された透明黒板と、を備えることにより、上記目的を達成している。
【００２１】
上記構成によれば、本体筐体に形成された表示窓部分を中心に所定方向に所定量移動可能に配設され画像描画手段により画像の描かれるスクリーンの表面を、当該表示窓部分で覆う状態で、当該スクリーン上に描かれた画像を視認可能であるとともに所定の手書き描画手段により手書きで画像を描画可能な透明部材で形成された透明黒板を配設しているので、スクリーン上に画像描画手段により描かれた画像に応じて手書き描画手段により透明黒板上に画像を描く際に、両方の画像形成物質が混じり合ったり、画像描画手段により描かれた画像が変形されたり、消されたり、さらには、手書き描画手段に画像描画手段の画像形成物質が付着したり、手書き描画手段の画像形成物質が画像描画手段を汚染したりすることを防止することができるとともに、画像描画手段により描かれた画像と手書き描画手段により描かれた画像を個別に消去して、一方の画像を消去する際に他方の画像が不用意に消去されることを防止することができ、画像品質を向上させることができるとともに、利用性を向上させることができる。
【００２２】
さらに、請求項１の前記画像消去手段は、螺旋形状の刃を有するローラ状の刃物部材を有し、前記画像の消去時に、当該刃物部材を前記スクリーンに接触させるとともに、当該スクリーンとの接触位置で当該スクリーンの移動速度とは異なる速度で当該刃物部材を回動駆動させて、前記スクリーン上に描かれた前記画像の前記画像形成物質を除去するものである。
【００２３】
上記構成によれば、スクリーン上の画像を消去する画像消去手段を、螺旋形状の刃を有するローラ状の刃物部材を有し、画像の消去時に、当該刃物部材をスクリーンに接触させるとともに、当該スクリーンとの接触位置で当該スクリーンの移動速度とは異なる速度で当該刃物部材を回動駆動させて、スクリーン上に描かれた画像の画像形成物質を除去しているので、スクリーンとの定着性を極端に低下させることなく、スクリーンとの画像形成物質の付着力の大きい静電記録方式やソリッドインクジェット方式等の画像描画手段でスクリーン上に描かれた画像の画像形成物質を適切かつ確実に除去することができ、画像品質の良好な画像を得ることができる。
【００３４】
また、請求項２記載の発明の電子黒板装置は、本体筐体に形成された表示窓部分を中心に移動可能に配設されたスクリーンと、該スクリーン上に画像形成物質により画像を描画する画像描画手段と、前記スクリーンの表面を覆う状態で前記スクリーン上に前記画像描画手段により描画された画像を視認可能であるとともに手書きで画像を描画可能な透明部材により形成されたベルト状の透明黒板と、前記スクリーンと前記透明黒板とが重なり合った部分の前記透明黒板側に配置され、画像取り込み時に、等速度で移動する前記スクリーンと前記透明黒板から該スクリーン上及び透明黒板上に描かれた画像を取り込む画像取込手段と、を備えるにより、上記目的を達成している。
【００３５】
上記構成によれば、スクリーンとベルト状の透明黒板とが重なり合った部分の透明黒板側に画像取込手段を配置し、少なくとも画像取り込み時に、スクリーンとベルト状の透明黒板が画像取込手段方向に等速度で移動して当該スクリーン上及び当該ベルト状の透明黒板上に描かれた画像を画像取込手段で取り込んでいるので、画像取込手段を移動させる機構を設けることなく、スクリーン上に描かれた画像と透明黒板上に描かれた画像とを合成した画像を適切に取り込んで、電子ファイル化してパーソナルコンピュータ等に出力したり、記録紙に記録出力することができ、利用性をより一層向上させることができる。
【００３６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３７】
図１〜図６は、本発明の電子黒板装置の第１の実施の形態を示す図であり、図１は、本発明の電子黒板装置の第１の実施の形態を適用した電子黒板装置１の正面図である。
【００３８】
本実施の形態は、画像表示用の窓部にパネル状の透明黒板を配設し、画像消去機構に螺旋状の刃を有した刃物部材を採用したものである。
【００３９】
図１において、電子黒板装置１は、本体筐体２に窓部２ａが形成され、当該窓部２ａにスクリーン３が面する状態で配設されている。本体筐体２には、コピー機構部４及び操作パネル５等が設けられているとともに、コピー機構部４でコピー記録された記録紙を排出するコピー排出口４ａが設けられている。
【００４０】
操作パネル５は、電子黒板装置１を利用した各種操作を行うボタン５ａを備えており、ボタン５ａの操作により電子黒板装置１に各種動作を行わせる。
【００４１】
本体筐体２の窓部２ａには、図１のＡ−Ａ矢視断面図である図２に示すように、透明黒板６が窓部２ａを密閉する状態で配設されており、透明黒板６は、透明なパネル状のガラス、板状の樹脂あるいはフィルム材等で形成されている。透明黒板６は、透明な部材で形成されているため、後述するように、スクリーン３上に描かれる画像を透明黒板６を通して、鮮明に視認することができ、透明黒板６の外側表面には、電子黒板印字用ペンを使用して手書きにより画像を描くことが可能となっている。この透明黒板６をガラスで形成する場合、ガラス表面を熱硬化樹脂あるいはエポキシ樹脂等でハードコーティングすると、傷や破損等に対する強度を向上させることができ、このようにガラスで透明黒板６を形成すると、平面を平滑にすることができるため、透明黒板６に手書きで描かれる画像の品質を向上させることができる。また、透明黒板６は、樹脂の板材あるいはフィルム材で形成する場合、ガラスで形成する場合と同様に表面にハードコーティングを行ったり、樹脂を多層膜化して形成し、このように樹脂の板材あるいはフィルム材で形成すると、ガラスで形成する場合に比較して、安価に形成することができるとともに、重量を低減化し、また、破損等に対する強度を向上させることができる。なお、透明黒板６に使用する樹脂としては、ポリエチレン、ポリプロピレン、ポリエチレンテレフタレート（ＰＥＴ）、アクリル系樹脂、ポリカーボネイト、ポリオレフィン系樹脂、４フッ化エチレン（ＰＴＦＥ）、４フッ化エチレンコポリマー（ＥＴＦＥ）及びフッ化ビニリデン（ＰＶＤＦ）等が適している。
【００４２】
そして、電子黒板装置１の本体筐体２内には、図２に示すように、上記スクリーン３、スクリーン３の張り渡された駆動ローラ１０、２個の従動ローラ１１、１２とテンションローラ１３、画像消去機構（画像消去手段）１４、画像描画機構（画像描画手段）１５、制御部１６及びスクリーン支持部材（付勢部材）１７等が収納されており、電子黒板装置１は、図示しないが、パーソナルコンピュータ等が接続されてパーソナルコンピュータ等からの画像データの入力されるインターフェイスや外部プリンタに接続されて当該外部プリンタに画像データを出力するインターフェイス等を備えている。この外部プリンタとしては、感熱プリンタ、レーザープリンタあるいはインク噴射プリンタ等従来から知られている方式のプリンタを接続して、利用することができる。
【００４３】
スクリーン３は、４面分の画像、すなわち、窓部２ａの大きさ４面分の画像を同時に形成することのできる長さを有して、リング状に形成されており、上述のように、駆動ローラ１０、従動ローラ１１、１２及びテンションローラ１３に張り渡されている。駆動ローラ１０は、図示しないモータ等により回転駆動されて、その回転方向に応じてスクリーン３を上方向及び下方向に移動（搬送）させ、従動ローラ１１、１２は、駆動ローラ１０の回転により移動されるスクリーン３に応じて回転して、スクリーン３を案内する。テンションローラ１３は、図示しないテンショナーによって図２中上方向に所定の力を付与して、スクリーン３に所定のテンションを付与する。なお、本実施の形態の電子黒板装置１では、用いていないが、スクリーン３の偏りを防止するために、トラッキングローラを設けてもよい。
【００４４】
画像描画機構１５は、駆動ローラ１０部分でスクリーン３の表面に近接して配設されており、例えば、ホットメルトインクを使用したインク噴射プリント方式によりスクリーン３上に画像を描画する。画像描画機構１５としては、インク噴射プリント方式に限るものではなく、従来から用いられている種々の方式のものを用いることができる。
【００４５】
画像消去機構１４は、図３に示すように、駆動ローラ１０部分でスクリーン３の表面に近接する状態で配設されており、箱状のケース２０内に、刃物部材２１と刃先クリーニング部材２２が収納されているとともに、ケース２０の下端部に回収容器２３が着脱可能に取り付けられている。刃物部材２１は、図示しない保持機構により回転可能に支持されているとともに、スクリーン３に離接可能に保持された状態で配設されており、スクリーン３上の画像を消去するときに、保持機構によりスクリーン３に接触位置に移動されるとともに、図示しないモータ等によりスクリーン３の移動速度と異なる速度でスクリーン３の移動方向に回転駆動されて、スクリーン３上に描かれた画像の画像形成物質２４を除去して、画像を消去する。なお、刃物部材２１の回転方向は、スクリーン３の移動方向とは、逆方向であってもよく、この場合には、スクリーン３の移動速度と同じ回転速度であってもよいし、異なる回転速度であってもよい。
【００４６】
刃先クリーニング部材２２は、刃物部材２１に常時接触する状態、あるいは、適時に接触する状態で配設され、刃物部材２１が回転されることにより、刃物部材２１に接触して、刃物部材２１に付着した画像形成物質２４を除去する。刃先クリーニング部材２２としては、例えば、樹脂製ブラシ、金属製ブラシ、あるいは、ナイロンブラシ等を使用することができる。
【００４７】
この刃先クリーニング部材２２は、円筒形に形成されて、モータ等により、刃物部材２１の回転に従動する方向に所定速度で回転駆動されてもよいし、刃物部材２１の回転とは逆方向に回転駆動されてもよく、また、モータ等により回転することなく、その回転に所定の負荷を与えて、刃物部材２１の回転に伴って回転するようにしてもよい。
【００４８】
上記刃物部材２１は、図４及び図４のＢ−Ｂ矢視断面図である図５に示すように、シャフト３０の取り付けられた円筒状の芯金３１の外周面に螺旋形状にバネ材（刃）３２が配設されており、バネ材３２は、芯金３１の外周面に螺旋形状に巻き付けられて、溶接で芯金３１に固定された後、耐久性を向上させるために、焼き入れ処理が行われ、さらに、刃先の研磨処理が施されている。
【００４９】
コピー機構部４は、スクリーン３及び透明黒板６上に描かれた窓部２ａの画像を取り込んで、記録紙に当該画像をコピー記録し、画像を記録した記録紙をコピー排出口４ａから排出する。このコピー機構部４は、通常のスキャナや電子黒板等で使用されるＣＣＤ（Charge Coupled Device ）等の光学センサを備え、図１に示したように、窓部２ａの上部を待機位置として待機して、画像読取時に、窓部２ａの幅方向両側に上下方向に配設された図示しない一対のアーム軸に沿って上下方向に移動して、スクリーン３と透明黒板６上に描かれた画像を合成した合成画像を読み取る。なお、コピー機構部４は、アーム軸が窓部２ａの縦方向両側に幅方向に配設されていて、待機時には、透明黒板６への手書きにより画像を描く際に支障のないように、窓部２ａから外れた位置に待機し、画像読取時に、幅方向に移動して、スクリーン３及び透明黒板６上の画像を読み取ってもよい。ただし、図１に示したように、アーム軸を窓部２ａの幅方向両側に上下方向に配設して、待機時にコピー機構部４を電子黒板装置１の本体筐体２の上部を待機位置として当該待機位置に位置させるようにすると、透明黒板６上に電子黒板印字用ペンで描かれた画像が消去されたときの塵による汚染を防止することができる。
【００５０】
上記制御部１６は、電子黒板装置１の各部を制御して、電子黒板装置１としての処理を行う。
【００５１】
スクリーン支持部材１７は、図示しない可動機構（付勢解除手段）に取り付けられており、通常は、可動機構によりスクリーン３を透明黒板６の裏面側（スクリーン３側）に密接され、スクリーン３の搬送時に、可動機構によりスクリーン３を透明黒板６から離れた位置に保持される。スクリーン支持部材１７は、少なくとも、スクリーン３側の表面が、スクリーン３に傷等をつけることなく、スクリーン３を透明黒板６に密接させるために、例えば、表面が柔軟なフェルト等で形成されているが、透明黒板６が柔軟性を有するフィルム材等で形成されている場合には、所定の適度な硬度を有する芯部材のスクリーン３側の表面にフェルト等の柔軟な部材を配設する。このようにすると、スクリーン支持部材１７は、透明黒板６が柔軟性を有する部材で形成されている場合に、透明黒板６に手書きにより画像が描かれる際に、下敷きの役目を果たし、手書きによる画像を描きやすくすることができる。
【００５２】
次に、本実施の形態の作用を説明する。電子黒板装置１は、画像描画機構１５で画像の描かれるスクリーン３の表面側に手書きで画像の描かれるパネル状の透明黒板７を配設したものである。
【００５３】
すなわち、電子黒板装置１は、会議等で使用される際、画像描画機構１５を使用して、スクリーン３上に画像を描き、スクリーン３上に描かれた画像を画像消去機構１４により適宜消去することができるとともに、窓部２ａに配設された透明黒板６上に手書きにより画像を描くことができる。
【００５４】
この電子黒板装置１による画像の描画処理及び画像消去処理は、図６に示す手順により行われる。すなわち、画像描画機構１５を利用して画像の描画を行う場合、パーソナルコンピュータ等からインターフェイスを介して画像データの入力を行う（ステップＳ１）。この画像データの電子黒板装置１への入力は、例えば、パーソナルコンピュータ等から画像を通常のプリンタに記録出力させる場合と同様の操作で行うことができ、例えば、電子黒板装置１用のプリンタドライバを組み込んだパーソナルコンピュータのアプリケーションソフトから電子黒板装置１を指定して、文書、表あるいはグラフ等の画像データのプリントアウト操作を行うことにより電子黒板装置１に画像データを入力することができる。
【００５５】
電子黒板装置１は、画像データが入力されると、制御部１６の内部メモリに当該画像データを記憶した後、まず、駆動ローラ１０をモータにより回転駆動させて、スクリーン３のうち当該入力された画像データを描画する画面領域分を画像消去機構１４により消去する消去処理を行う（ステップＳ２）。ただし、電子黒板装置１は、以前に描画された画像に当該入力された画像データの画像を重ね書きする場合には、この消去処理を省略する。
【００５６】
次に、電子黒板装置１は、画像描画機構１５を駆動させて、上記画像消去処理で消去されたスクリーン３の画面領域に、この画像消去処理と平行して、上記入力された画像データに基づいてスクリーン３上に画像を描画（自動画像描画）する（ステップＳ３）。このようにしてスクリーン３上に描画された画像は、会議の資料等として利用される。
【００５７】
この会議で、電子黒板装置１の使用者は、必要に応じて、手書きにより画像を描くが、この手書きによる画像は、透明黒板６上に描かれる（ステップＳ４）。したがって、スクリーン３上に描かれた画像のインクと手書きにより描かれた画像のインクが混ざり合ったり、スクリーン３上に描かれた画像を手書きの電子黒板印字用ペンで崩してしまうことがなく、画像品質を向上させることができる。また、電子黒板装置１の使用者は、手書きにより描かれた画像を黒板消しにより手作業により消去する（ステップＳ４）。この場合にも、手書きによる画像は、透明黒板６上に描かれているため、スクリーン３上に画像描画機構１５により描かれた画像を消してしまうことを防止することができ、画像品質を向上させることができる。
【００５８】
電子黒板装置１は、上記画像データの入力処理、画像描画処理、画像消去処理及びスクリーン３の移動処理を操作パネル５のボタン５ａ操作に応じて、順次行い、必要に応じて、当該スクリーン３上及び透明黒板６上に描画された画像をコピー機構部４により取り込んで、記録紙に記録し、あるいは、インターフェイスに接続された外部プリンタに出力して、当該外部プリンタにより画像を記録出力する（ステップＳ５）。
【００５９】
そして、会議が終了すると、操作パネル５のボタン５ａの操作により画像の消去が指示操作されると、電子黒板装置１は、画像消去機構１４を駆動させて、スクリーン３上の全ての画像を画像消去機構１４により消去し（ステップＳ２）、処理を終了する。
【００６０】
上記画像消去機構１４は、上述のように、ケース２０内に、刃物部材２１と刃先クリーニング部材２２が収納されているとともに、ケース２０の下端部に回収容器２３が取り付けられており、電子黒板装置１は、画像の消去時、スクリーン３を所定の搬送速度で移動させつつ、画像消去機構１４が、刃物部材２１をスクリーン３の搬送速度と異なる速度でスクリーン３の搬送方向と同じ方向に回転駆動させるとともに、駆動ローラ１０部分でスクリーン３表面に接触する。したがって、画像消去機構１４は、回転する刃物部材２１によりスクリーン３表面に描かれた画像の画像形成物質２４を確実に削り取ることができ、スクリーン３の画像を確実に消去して、スクリーン３を清浄にすることができる。
【００６１】
また、刃物部材２１には、常時あるいは適時に刃先クリーニング部材２２が接触して、刃物部材２１は、刃先クリーニング部材２２により刃物部材２１に付着している画像形成物質２４が除去されてクリーニングされ、刃物部材２１からスクリーン３に画像形成物質２４が再付着するのが防止される。したがって、画像消去機構１４は、スクリーン３をより一層清浄にすることができる。
【００６２】
さらに、消去機能部１４は、ケース２０内に、刃物部材２１と刃先クリーニング部材２２が収納されているとともに、ケース２０の下端部に回収容器２３が着脱可能に取り付けられているため、スクリーン３から除去された画像形成物質２４が飛散することを防止することができるとともに、削り取った画像形成物質２４を回収容器２３に収容して、回収容器２３をケース２０から取り外すことにより、簡単に処理することができる。
【００６３】
図７は、本発明の本発明の電子黒板装置の第２の実施の形態を示す図であり、図７は、本発明の電子黒板装置の第２の実施の形態を適用した電子黒板装置４０の画像消去機構部分の側面断面図である。
【００６４】
本実施の形態は、透明黒板を樹脂等によりベルト状（フィルム状）に形成して、スクリーンとは独立して移動可能に配設したものである。
【００６５】
なお、本実施の形態は、上記第１の実施の形態と同様の電子黒板装置に適用したものであり、本実施の形態の説明においては、上記第１の実施の形態と同様の構成部分には、同一の符号を付して、その詳細な説明を省略する。
【００６６】
図７において、電子黒板装置４０は、所定長さ（例えば、４面分）のベルト状のスクリーン４１が、巻き取りローラ４２、４３に巻き付けられ、支持ローラ４４、４５により窓部２ａで安定した状態で位置するように支持される、いわゆるウエブ構成に形成されている。スクリーン４１は、図示しない駆動モータにより巻き取りローラ４２、４３が回転駆動されることにより、巻き取りローラ４２と巻き取りローラ４３の一方に巻き取られて、上方向あるいは下方向に所定の移動速度で搬送される。
【００６７】
スクリーン４１には、支持ローラ４４部分に配設された画像描画機構１５により画像が描画がされ、支持ローラ４４部分に配設された画像消去機構１４により画像描画機構１５により描かれた画像が消去される。
【００６８】
電子黒板装置４０は、このスクリーン４１よりも窓部２ａ側に位置する状態で、透明黒板４６が配設されており、透明黒板４６は、所定長さ（例えば、４面分）のベルト状（フィルム状）に形成されて、巻き取りローラ４７、４８に巻き付けられるとともに、支持ローラ４９、５０により窓部２ａで安定した状態で位置するように支持される、いわゆるウエブ構成に形成されている。透明黒板４６は、上記スクリーン４１を搬送する駆動モータとは異なる図示しない駆動モータにより巻き取りローラ４７、４８が回転駆動されることにより、巻き取りローラ４７と巻き取りローラ４８の一方に巻き取られて、上方向あるいは下方向に所定の移動速度で搬送される。したがって、スクリーン４１と透明黒板４６は、独立して個別に搬送される。
【００６９】
スクリーン４１の窓部２ａの裏面側（窓部２ａと反対側）には、スクリーン支持部材（付勢部材）５１が配設されており、スクリーン支持部材５１は、図示しない可動機構（付勢解除手段）に取り付けられている。可動機構は、通常は、スクリーン４１を透明黒板４６の裏面側（スクリーン４１側）に密接させ、スクリーン４１の移動時（搬送時）及び透明黒板４６の移動時（搬送時）には、スクリーン４１を透明黒板４６から離れた位置に保持する。スクリーン支持部材５１は、所定の剛性を有するウレタン等により形成され、透明黒板４６に手書きにより画像が描かれる際に、下敷きの役目を果たして、手書きによる画像を描きやすくなっているとともに、スクリーン４１側の表面がわずかに凸状に形成され、スクリーン４１と透明黒板４６との密着性を向上させている。
【００７０】
画像消去機構１４、画像描画機構１５及び制御部１６は、上記第１の実施の形態と同様であるが、制御部１６は、スクリーン４１の搬送機構が第１の実施の形態の電子黒板装置１と異なるため当該搬送機構の制御を行うようになっているとともに、透明黒板４６がベルト状に形成されていて、この透明黒板４６を搬送させる搬送機構の制御を行うようになっている。
【００７１】
本実施の形態の電子黒板装置４０は、透明黒板４６をベルト状（フィルム状）に形成して、搬送機構により搬送するようになっている。
【００７２】
すなわち、電子黒板装置４０の使用者は、パーソナルコンピュータ等のアプリケーションソフトから電子黒板装置４０を指定して、文書、表あるいはグラフ等の画像データのプリントアウト操作を行うことにより電子黒板装置４０に画像データを入力する。電子黒板装置４０は、画像データが入力されると、制御部１６が当該画像データに基づいて、巻き取りローラ４３を駆動させつつ、画像描画機構１５によりスクリーン４１に画像を描画し、スクリーン４１に描画した画像を窓部２ａの位置に位置させる。このとき、透明黒板４６が透明部材で形成されているため、スクリーン４１上に描かれた画像を透明黒板４６を通して、視認することができるとともに、スクリーン４１がスクリーン支持部材５１により透明黒板４６に密接されているため、スクリーン４１上に描かれた画像を鮮明に視認することができる。
【００７３】
また、電子黒板装置４０の使用者は、必要に応じて、手書きにより画像を描くが、この手書き画像を透明黒板４６上に描く。したがって、スクリーン４１上に描かれた画像のインクと手書きにより描かれた画像のインクが混ざり合ったり、スクリーン４１上に描かれた画像を手書きの電子黒板印字用ペンで崩してしまうことがなく、画像品質を向上させることができる。また、電子黒板装置４０の使用者は、手書きにより描かれた画像を黒板消しにより手作業により消去するが、この場合にも、手書きによる画像は、透明黒板４６上に描かれているため、スクリーン４１上に画像描画機構１５により描かれた画像を消してしまうことを防止することができ、画像品質を向上させることができる。
【００７４】
そして、電子黒板装置４０の使用者は、必要に応じて、操作パネル５のボタン５ａを操作して、巻き取りローラ４７、４８を駆動させて、スクリーン４１とは独立して、透明黒板４６のみを巻き取らせ、透明黒板４６上に描いた画像を移動させ、さらに、手書きにより透明黒板４６上に画像を描く。
【００７５】
電子黒板装置４０の使用者は、このような操作を必要に応じて、行うことにより、スクリーン４１上に描かれた画像に透明黒板４６上に描かれた異なる画像を重ね合わせて、会議の説明に利用したり、また、必要に応じて、コピー機構４によりスクリーン４１上の画像と透明黒板４６上の重なった画像を読み取らせて、記録紙に記録出力させることができる。したがって、スクリーン４１上の複数の画像と透明黒板４６上の複数の画像を、窓部２ａ位置で適宜組み合わせた状態で重ね合わせて視認することができ、電子黒板装置４０の利用性をより一層向上させることができる。
〈実験例１〉
第１の実施の形態の電子黒板装置１を使用して、画像描画及び画像消去の実験を行った。電子黒板装置１の各部の実験条件は、以下の通りである。
【００７６】
0004064534.tif 000002
上記条件の下に、画像描画機構１５によりスクリーン３に所定の画像を描画させた後、画像消去機構１４により当該画像の消去を行ったところ、スクリーン３は、全て処理前の状態に匹敵する状態が再現された。
【００７７】
再度、同様の画像描画を画像描画機構１５によりスクリーン３に行ったところ、スクリーン３の表面の凹凸に起因すると考えられる画像の劣化が多少見られたものの、ほとんど最初の処理前の画像と同様の画像を得ることができた。
【００７８】
さらに、スクリーン３上の画像を画像消去機構１４により消去した後、画像描画機構１５による画像の描画と画像消去機構１４による画像の消去を、５回繰り返し行ったところ、２回目以降に形成された画像は、上記２回目に形成した画像と全く同様の画像品質であり、また、２回目以降に画像消去機構１４により消去されたスクリーン３の状態は、１回目の画像消去により画像が消去されたときのスクリーン３の状態と全く同様の画像消去品質であった。
【００７９】
また、パーソナルコンピュータにより一般的な表の外枠の画像イメージを画像描画機構１５に入力して、スクリーン３に画像描画を行った後、当該スクリーン３上に描かれた表に合わせて、透明黒板６上に市販の水性フェルトペンを使用して手書きにより文字、数値等を書き込んだところ、良好な画像品質で透明黒板６に手書きすることができた。
【００８０】
さらに、透明黒板６上に書き込んだ画像とスクリーン３上に描かれた画像とは、スクリーン支持部材１７によりスクリーン３と透明黒板６が密接されているため、違和感のない良好な視認性を得ることができた。
【００８１】
また、スクリーン３を搬送させる動作を行わせたところ、スクリーン支持部材１７がスクリーン３と透明黒板６とを離すため、スクリーン３を良好に搬送させることができた。
【００８２】
さらに、上記スクリーン３に描いた表と当該表に合わせて透明黒板６に描いた文字や数値をコピー機構４により読み取らせて、コピー出力を行わせたところ、良好なコピー画像を得ることができた。
〈比較実験例１〉
上記実験例１の電子黒板装置１の透明黒板６を取り外し、その他の条件を実験例１と同様の条件として、画像描画機構１５によりスクリーン３上に画像描画を行った後、スクリーン３上に直接実験例１と同じフェルトペンにより手書きで画像を描いた。
【００８３】
実験の結果、スクリーン上３に画像描画機構１５により描かれた表の画像形成物質であるホットメルトインクがフェルトペンにより伸ばされて、画像品質が悪化した。
【００８４】
また、フェルトペンにも、ホットメルトインクが付着して、手書きの画像自体の画像品質も悪化した。
【００８５】
さらに、黒板消しによりスクリーン３を擦過したところ、フェルトペンによる画像だけでなく、画像描画機構１５により描いた画像のホットメルトインクの成分も一部除去され、画像が悪化した。
【００８６】
この実験結果から、スクリーン３の表面側に透明黒板６を設けて、画像描画機構１５による画像と手書きによる画像とをスクリーン３と透明黒板６とに区別して描くことが画像品質を向上させる上で、効果的であることを確認することができた。
〈比較実験例２〉
上記実験例１の電子黒板装置１のスクリーン支持部材１７を取り外し、その他の条件を実験例１と同様の条件として、画像描画機構１５によるスクリーン３上への画像描画と透明黒板６への手書きによる画像描画を行った。
【００８７】
スクリーン３と透明黒板６との間の一部に多少隙間が発生し、当該隙間の発生した部分において、スクリーン３上に描かれた画像の視認性が多少悪化した。また、この状態でコピー機構４によりスクリーン３上の画像と透明黒板６上の画像を読み取らせて、コピー出力させたところ、スクリーン３と透明黒板６との間に隙間の発生していた部分で画像品質に劣化が見られた。
【００８８】
この実験結果から、スクリーン支持部材１７でスクリーン３を透明部材６に密接させることが、画像の視認性及びコピー画像の画像品質を向上させる上で、効果的であることが判明した。
〈比較実験例３〉
上記実験例１の電子黒板装置１を使用して、スクリーン支持部材１７によるスクリーン３の透明部材６への押圧を解除することなく、スクリーン３を搬送させる実験を行った。
【００８９】
実験の結果、スクリーン３と透明黒板６との摩擦により、スクリーン３上に画像を形成しているホットメルトインクが伸ばされて、画像品質が劣化するとともに、透明黒板６のスクリーン３側の面にホットメルトインクが付着して、透明黒板６に汚れが発生した。
【００９０】
また、スクリーン支持部材１７によるスクリーン３の透明黒板６への押圧力を強めたところ、スクリーン３を駆動するモータに過負荷がかかり、モータが停止する不具合が発生した。
【００９１】
この比較実験結果から、スクリーン３を搬送させる動作を行わせたところ、スクリーン支持部材１７によるスクリーン３の透明黒板６への押しつけを解除するか、所定圧力以下に低下させることが、画像品質を向上させる上で、また、電子黒板装置１を適切に動作させる上で、効果的であることが判明した。
〈実験例２〉
上記第２の実施の形態の電子黒板装置４０を使用し、画像描画及び画像消去の実験を行った。電子黒板装置１の各部の実験条件は、以下の通りである。
【００９２】
0004064534.tif 000003
上記条件の下に、画像描画機構１５によりスクリーン４１に所定の画像を描画させた後、画像消去機構１４により当該画像の消去を行ったところ、スクリーン３は、全て処理前の状態に匹敵する状態が再現された。
【００９３】
再度、同様の画像描画を画像描画機構１５によりスクリーン４１に行ったところ、スクリーン４１の表面の凹凸に起因すると考えられる画像の劣化が多少見られたものの、ほとんど最初の処理前の画像と同様の画像を得ることができた。
【００９４】
さらに、スクリーン４１上の画像を画像消去機構１４により消去した後、画像描画機構１５による画像の描画と画像消去機構１４による画像の消去を、５回繰り返し行ったところ、２回目以降に形成された画像は、上記２回目に形成した画像と全く同様の画像品質であり、また、２回目以降に画像消去機構１４により消去されたスクリーン４１の状態は、１回目の画像消去により画像が消去されたときのスクリーン４１の状態と全く同様の画像消去品質であった。
【００９５】
また、パーソナルコンピュータにより一般的な表の外枠の画像イメージを画像描画機構１５に入力して、スクリーン４１に画像描画を行った後、当該スクリーン４１上に描かれた表に合わせて、透明黒板４６上に市販の水性フェルトペンを使用して手書きにより文字、数値等を書き込んだところ、良好な画像品質で透明黒板４６に手書きすることができた。
【００９６】
さらに、透明黒板４６上に書き込んだ画像とスクリーン４１上に描かれた画像とは、スクリーン支持部材５１によりスクリーン４１と透明黒板４６が密接されているため、違和感のない良好な視認性を得ることができた。
【００９７】
また、スクリーン４１と透明黒板４６を搬送させた際、スクリーン支持部材５１がスクリーン４１と透明黒板４６とを離すため、スクリーン４１と透明黒板４６の双方を良好に搬送させることができた。
【００９８】
さらに、透明黒板４６を停止させた状態で、スクリーン４１のみを搬送させる場合及びスクリーン４１を停止させた状態で、透明黒板４６のみを搬送させる場合にも、スクリーン支持部材５１がスクリーン４１と透明黒板４６を離すため、適切に搬送させることができた。
【００９９】
さらに、上記スクリーン４１に描いた表と当該表に合わせて透明黒板４６に描いた文字や数値をコピー機構４により読み取らせて、コピー出力を行わせたところ、良好なコピー画像を得ることができた。
【０１００】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１０１】
【発明の効果】
請求項１記載の発明の電子黒板装置によれば、本体筐体に形成された表示窓部分を中心に所定方向に所定量移動可能に配設され画像描画手段により画像の描かれるスクリーンの表面を、当該表示窓部分で覆う状態で、当該スクリーン上に描かれた画像を視認可能であるとともに所定の手書き描画手段により手書きで画像を描画可能な透明部材で形成された透明黒板を配設しているので、スクリーン上に画像描画手段により描かれた画像に応じて手書き描画手段により透明黒板上に画像を描く際に、両方の画像形成物質が混じり合ったり、画像描画手段により描かれた画像が変形されたり、消されたり、さらには、手書き描画手段に画像描画手段の画像形成物質が付着したり、手書き描画手段の画像形成物質が画像描画手段を汚染したりすることを防止することができるとともに、画像描画手段により描かれた画像と手書き描画手段により描かれた画像を個別に消去して、一方の画像を消去する際に他方の画像が不用意に消去されることを防止することができ、画像品質を向上させることができるとともに、利用性を向上させることができる。
【０１０２】
さらに、請求項１記載の発明の電子黒板装置によれば、スクリーン上の画像を消去する画像消去手段を、螺旋形状の刃を有するローラ状の刃物部材を有し、画像の消去時に、当該刃物部材をスクリーンに接触させるとともに、当該スクリーンとの接触位置で当該スクリーンの移動速度とは異なる速度で当該刃物部材を回動駆動させて、スクリーン上に描かれた画像の画像形成物質を除去しているので、スクリーンとの定着性を極端に低下させることなく、スクリーンとの画像形成物質の付着力の大きい静電記録方式やソリッドインクジェット方式等の画像描画手段でスクリーン上に描かれた画像の画像形成物質を適切かつ確実に除去することができ、画像品質の良好な画像を得ることができる。
【０１０８】
請求項２記載の発明の電子黒板装置によれば、スクリーンとベルト状の透明黒板とが重なり合った部分の透明黒板側に画像取込手段を配置し、少なくとも画像取り込み時に、スクリーンとベルト状の透明黒板が画像取込手段方向に等速度で移動して当該スクリーン上及び当該ベルト状の透明黒板上に描かれた画像を画像取込手段で取り込んでいるので、画像取込手段を移動させる機構を設けることなく、スクリーン上に描かれた画像と透明黒板上に描かれた画像とを合成した画像を適切に取り込んで、電子ファイル化してパーソナルコンピュータ等に出力したり、記録紙に記録出力することができ、利用性をより一層向上させることができる。
【図面の簡単な説明】
【図１】本発明の電子黒板装置の第１の実施の形態を適用した電子黒板装置の正面図。
【図２】図１の電子黒板装置のＡ−Ａ矢視断面図。
【図３】図２の電子黒板装置の画像消去機構部分の拡大正面断面図。
【図４】図３の画像消去機構の刃物部材の拡大正面図。
【図５】図４の刃物部材のＢ−Ｂ矢視断面図。
【図６】図１の電子黒板装置による画像描画処理及び画像消去処理の手順を示す図。
【図７】本発明の電子黒板装置の第２の実施の形態を適用した電子黒板装置の側面断面図。
【符号の説明】
１  電子黒板装置
２  本体筐体
２ａ  窓部
３  スクリーン
４  コピー機構部
４ａ  コピー排出口
５  操作パネル
５ａ  ボタン
６  透明黒板
１０  駆動ローラ
１１、１２  従動ローラ
１３  テンションローラ
１４  画像消去機構
１５  画像描画機構
１６  制御部
１７  スクリーン支持部材
２０  ケース
２１  刃物部材
２２  刃先クリーニング部材
２３  回収容器
２４  画像形成物質
３０  シャフト
３１  芯金
３２  バネ材
４０  電子黒板装置
４１  スクリーン
４２、４３  巻き取りローラ
４４、４５  支持ローラ
４６  透明黒板
４７、４８  巻き取りローラ
４９、５０  支持ローラ
５１  スクリーン支持部材
【図１】
0004064534.tif 000004
【図３】
0004064534.tif 000005
【図２】
0004064534.tif 000006
【図４】
0004064534.tif 000007
【図５】
0004064534.tif 000008
【図６】
0004064534.tif 000009
【図７】
0004064534.tif 000010